(57)【要約】      （修正有）【課題】掲示物の掲示や交換作業を略ワンタッチで簡単に行い得ると共に、掲示物の角度を所望に設定できて、その使い勝手の向上等を図り得る掲示用スタンドを提供する。【解決手段】所定形状のプレート２と、該プレートの前面に掲示物５を介して配置される透明板３と、を備え、プレートと透明板の対向位置にマグネット６、９をそれぞれ配置し、該マグネットにより透明板がプレートに対して着脱される。マグネットは、略方形状のプレートと透明板の対称位置の四隅にそれぞれ設けられており、また、プレートは、その下端部に掲示物滑り防止用のガイドが設けられたり、脚部に傾動手段により傾動可能に連結される。【選択図】図１
2008003533.tif 000002
【特許請求の範囲】
【請求項１】
所定形状のプレートと、該プレートの前面に掲示物を介して配置される透明板と、を備え、前記プレートと透明板の対向位置にマグネットをそれぞれ配置し、該マグネットにより透明板がプレートに対して着脱されることを特徴とする掲示用スタンド。
【請求項２】
前記マグネットは、略方形状のプレートと透明板の対称位置の四隅にそれぞれ設けられていることを特徴とする請求項１に記載の掲示用スタンド。
【請求項３】
前記プレートは、その下端部に掲示物滑り防止用のガイドが設けられていることを特徴とする請求項１または２に記載の掲示用スタンド。
【請求項４】
前記プレートは、脚部に傾動手段により傾動可能に連結されていることを特徴とする請求項１ないし３のいずれかに記載の掲示用スタンド。
【請求項５】
前記傾動手段は、回転可能な球状部材もしくは屈曲可能なフレキシブル部材で形成されていることを特徴とする請求項４に記載の掲示用スタンド。
【発明の詳細な説明】
【技術分野】
【０００１】  本発明は、例えば車両のスペックが表示された印刷物等の掲示物を掲示するための掲示用スタンドに関する。
【背景技術】
【０００２】  一般的に、例えば車両販売会社としてのディーラーのロビーには車両が展示されており、この車両の近傍には当該車両のスペック（規格）が印刷された印刷物が掲示用スタンドによって掲示されている。従来、このような掲示用スタンドは、プレートと、このプレートの前面に所定角度で配置される透明カバー等により形成され、プレートと透明カバー間に印刷物を挟み込んで例えば透明カバーをプレートにネジ固定すること等により、印刷物が掲示用スタンドに掲示されている。なお、この種の掲示用スタンドとしては、例えば特許文献１に開示のものが知られている。【特許文献１】特開２００６−３０６７０号公報
【発明の開示】
【発明が解決しようとする課題】
【０００３】  しかしながら、このような掲示用スタンドにあっては、透明カバーがプレートにネジ等によって固定されているため、掲示物を掲示したり交換する際に、ネジ等を一々外して行う必要があり、その作業が非常に面倒であり、特に、新車販売の間隔が短縮されている昨今において、その改善が望まれている。また、プレートの角度が特定化されているため、ユーザーが最も見易い任意の角度に設定することが困難で、掲示用スタンドの使い勝手の面でも劣ることになる。【０００４】  本発明は、このような事情に鑑みてなされたもので、その目的は、掲示物の掲示や交換作業を略ワンタッチで簡単に行い得る掲示用スタンドを提供することにある。また、他の目的は、前記目的に加え、掲示物の角度を所望に設定できて、その使い勝手の向上等を図り得る掲示用スタンドを提供することにある。
【課題を解決するための手段】
【０００５】  かかる目的を達成すべく、本発明のうち請求項１に記載の発明は、所定形状のプレートと、該プレートの前面に掲示物を介して配置される透明板と、を備え、前記プレートと透明板の対向位置にマグネットをそれぞれ配置し、該マグネットにより透明板がプレートに対して着脱されることを特徴とする。【０００６】  そして、前記マグネットは、請求項２に記載の発明のように、略方形状のプレートと透明板の対称位置の四隅にそれぞれ設けられていることが好ましく、また、前記プレートは、請求項３に記載の発明のように、その下端部に掲示物滑り防止用のガイドが設けられていることが好ましい。さらに、前記プレートは、請求項４に記載の発明のように、脚部に傾動手段により傾動可能に連結されていることが好ましく、この場合、前記傾動手段は、請求項５に記載の発明のように、回転可能な球状部材もしくは屈曲可能なフレキシブル部材で形成されていることが好ましい。
【発明の効果】
【０００７】  本発明のうち請求項１に記載の発明によれば、プレートと透明板の対向位置にマグネットがそれぞれ配置され、このマグネットによって透明板がプレートに対して着脱されるため、透明板を所定力で引っ張ること等により透明板をプレートから略ワンタッチで取れ外しできて、プレートと透明板との間に掲示物を簡単に掲示したりあるいは掲示物の交換を簡単に行うことができる。【０００８】  また、請求項２に記載の発明によれば、請求項１に記載の発明の効果に加え、マグネットが略方形状のプレートと透明板の対称位置の四隅にそれぞれ設けられているため、四隅のマグネットによりプレートと透明板の位置合わせが確実に行えると共に、マグネットの対称位置への設定により透明板の表裏に関係なく取り付けできて、掲示物の掲示等をより一層簡単に行うことができる。【０００９】  また、請求項３に記載の発明によれば、請求項１または２に記載の発明の効果に加え、プレートの下端部に掲示物滑り防止用のガイドが設けられているため、ガイドによりプレートと透明板で挟持される掲示物の滑り落ちを防止できて、掲示物を所定位置に安定して掲示することができる。【００１０】  さらに、請求項４に記載の発明によれぱ、請求項１ないし３に記載の発明の効果に加え、プレートが脚部に傾動手段により傾動可能に連結されているため、傾動手段によりプレートの角度を所望に設定して掲示物の角度を見易い角度に設定できる等、掲示用スタンドの使い勝手や付加価値等の向上を図ることができる。【００１１】  また、請求項５に記載の発明によれば、請求項４に記載の発明の効果に加え、傾動手段が回転可能な球状部材もしくは屈曲可能なフレキシブル部材で形成されているため、傾動手段により掲示物の掲示角度を例えば３６０度調整できると共に、傾動手段の構成を簡略化させて安価な掲示用スタンドを得ることができる。
【発明を実施するための最良の形態】
【００１２】  以下、本発明の実施の形態を図面に基づいて詳細に説明する。  図１〜図４は、本発明に係わる掲示用スタンドの一実施形態を示し、図１がその一部を破断した斜視部、図２がその側面図、図３がその正面図、図４が変形例を示す要部拡大図である。【００１３】  図１〜図３に示すように、掲示用スタンド１（以下、スタンド１という）は、正面視長方形状のプレート２と、このプレート２の前面２ａに配置される透明板３と、前記プレート２を支持する脚部４等によって構成されている。前記プレート２は、例えば不透明な樹脂板や非磁性体からなる金属板によって所定の剛性を有する如く形成されると共に、その外形形状が掲示物５の外形形状と略同一か若干大きくなるように設定されている。【００１４】  そして、このプレート２の外周四隅には、円盤状の合計４個のマグネット６が埋め込み状態で配置されており、この４個のマグネット６のうち、例えば右側の上下２個のマグネット６は、プレート２の表面２ａ側がＳ極で裏面２ｂ側がＮ極となり、左側の上下２個のマグネット６は、プレート２の表面２ａ側がＮ極で裏面２ｂ側がＳ極となるように設定されている。【００１５】  また、プレート２の裏面２ｂの略中央部には、金属板等からなる支持プレート７がネジ８等によって固定されており、この支持プレート７には、前記脚部４を構成する脚パイプ４ａの上端が溶接等により固定されている。この時、脚パイプ４ａの上端面を所定角度傾斜した状態でカットすることにより、プレート２が脚パイプ４ａに対して傾斜状態で固定されており、また、脚パイプ４ａの下端は、所定の重量を有する円盤状の脚プレート４ｂの中央部に溶接等により固定されている。【００１６】  前記透明板３は、例えばアクリル樹脂やガラス等により形成されて、その外形形状がプレート２と略同一形状の正面視長方形状に形成されると共に、外周四隅には、円盤状の合計４個のマグネット９が透明板３の表裏面に貫通状態でそれぞれ配置されている。この４個のマグネット９は、前記プレート２の４個のマグネット６と対向し得るように配置されると共に、この４個のマグネット９のうち、例えば右側の上下２個のマグネット９は、透明板３の表面３ａ側がＳ極で裏面３ｂ側がＮ極となり、左側の上下２個のマグネット９は、透明板３の表面３ａ側がＮ極で裏面３ｂ側がＳ極となるように設定されている。【００１７】  このように構成されたスタンド１は、図２の二点鎖線で示すように、脚部４に支持プート７を介して固定された傾斜状態のプレート２の表面２ａから透明板３を取り外し、この状態でプレート２の表面に例えば展示されている車両のスペックが印刷により表示された掲示物５を載置し、この掲示物５の表面側に取り外してある透明板３を載置する。この時、透明板３の外周四隅をプレート２の外周四隅に位置合わせすることにより、透明板３とプレート２の外周四隅に埋め込まれているマグネット９、６がその磁力で互いに吸着して透明板３がプレート２に取り付けられる。【００１８】  これにより、掲示物５がプレート２と透明板３とで挟持された状態となり、この状態で脚部４の脚プレート４ｂを展示されている車両近くの床面や机上に載置することにより、スタンド１が所定状態で設置され��このスタンド１の掲示物５に印刷されているスペックが透明板３を介して車両を見にきているユーザー等に視認されることになる。なお、透明板３のプレート２への吸着は、透明板３やプレート２の左右上下の対となった２個のマグネット６、９の磁極が互いに逆極性に設定されていることから、透明板３の表面３ａを手前側にした場合は、そのままの状態で４個のマグネット６、９が互いにそれぞれ吸着し、また、透明板３の裏面３ｂを手前にした場合は、透明板３を水平面内で１８０度回転させることにより４個のマグネット６、９が互いにそれぞれ吸着することになる。【００１９】  一方、展示車両の変更等によりスタンド１の掲示物５を交換する場合は、透明板３をプレート２に対して所定力（マグネット６、９の吸着力以上）で引っ張ることにより、透明板３がプレート２から取り外され、この透明板３の取り外しにより透明板３とプレート２とで挟持されていた掲示物５が取り外し交換できることになる。つまり、４個のマグネット６、９を互いに吸着させることにより、掲示物５を透明板３とプレート２で挟持して掲示したり、マグネット６、９を離してその吸着力を解除することにより、プレート２から掲示物５を取り外しでき、掲示物５のセットや取り外し交換が略ワンタッチで行えることになる。【００２０】  ところで、以上の説明においては、プレート２の全域を平板状としてその表面２ａに掲示物５を挟持させたが、例えば図４に示すように、プレート２の下端部に前方に突出したガイド１０を一体形成し、このガイド１０上に掲示物５の下端や透明板３の下端を載置し掲示物５の下方への移動（落下）を防止した状態で掲示物５を掲示できる構成として良い。この場合、ガイド１０はプレート２の下端の全域に設けることもできるし、プレート２の左右両端部や中央部等に部分的に設けたり、プレート２の下端のみでなく、例えばプレート２の左右端部に設けて掲示物５のプレート２の左右端部からのはみ出し等を防止する構成とすることもできる。【００２１】  このように、上記実施形態のスタンド１にあっては、プレート２と透明板３の外周四隅に４個のマグネット６、９がそれぞれ配置され、この各マグネット６、９の吸着力を利用して透明板３がプレート２に対して着脱されるため、透明板３を所定力で引っ張ること等により透明板３をプレート２から略ワンタッチで取り外しできて、プレート２と透明板３との間に掲示物５を簡単にセット（掲示）したりあるいは掲示物５の取り外し（交換）を簡単に行うことができる。【００２２】  特に、プレート２と透明板３が略同一形状の長方形状に形成されると共に、長方形状の外周四隅の対称位置にマグネット６、９がそれぞれ配置されているため、透明板３の外周縁とプレート２の外周縁を合わせることで各マグネット６、９の位置合わせが自動的に行え、透明板３のプレート２に対する着脱を一層簡単に行うことができると共に、マグネット６、９の対称位置への設定やその磁極の設定により、透明板３の表裏に関係なく取り付けできて掲示物５の掲示等をより一層簡単に行うことができる。【００２３】  また、プレート２の下端部等に掲示物５の滑り防止用のガイド１０を設けるように構成すれば、このガイド１０によりプレート２と���明板３とで挟持される掲示物５の滑り落ちを防止できて、掲示物５を所定位置に安定して掲示することができる。さらに、脚部４の脚プレート４ｂ等が所定の重量に設定されると共に、プレート２が脚パイプ４ａに対して所定角度傾斜状態で固定されているため、脚部４の重量を利用してスタンド１を所定位置に安定設置できたり、所定位置に容易に移動させることができて、スタンド１の使い勝手を向上させることができる。【００２４】  図５は、本発明に係わるスタンドの他の実施形態を示す側面図である。以下、上記実施形態と同一部位には、同一符号を付して説明する。この実施形態のスタンド１の特徴は、前記プレート２を脚部４に対して傾動可能に連結した点にある。すなわち、前記支持プレート７の背面に支持棒１１の一端を固定しこの支持棒１１の他端を金属球１２に固定すると共に、金属球１２の外周面を前記脚パイプ４ａの上端に固定され上面が球面形状に形成されたマグネット１３に吸着させる。この金属球１２のマグネット１３への吸着により金属球１２がマグネット１３の内周面に沿って３６０度傾動可能となり、この金属球１２の傾動により、支持プレート７、すなわちプレート２が例えば図５の二点鎖線イや三点鎖線ロで示す位置に設定されることになる。【００２５】  このスタンド１においても、プレート２に設けたマグネット６等の吸着力を利用して透明板３や掲示物５をセットしたり取り外しできて、上記実施形態と同様の作用効果が得られる他に、プレート２の角度を前後方向や左右方向に傾動させることができて、掲示物５の掲示角度を最適位置に設定することができる。この例の場合、プレート２の傾動機構は、金属球１２とマグネット１３の使用に限らず、例えばプレート２（支持プレート７）を屈曲可能なフレキシブル部材（図示せず）で支持させることで、プレート２等を所定方向に傾動させることもできる。【００２６】  なお、本発明に係わるスタンド１は、上記した各実施形態に限定されるものではなく、次のような変形例も包含するものである。すなわち、上記各実施形態においては、プレート２の外周四隅にマグネット６を配置したが、例えば図３の二点鎖線で示すように、マグネット６をプレート２の外周上下や左右の略中間位置に配置することもできるし、例えばマグネット９に磁極を示す色彩や模様等を施して、透明板３の表裏を明確にしてそのセット作業等をより簡略化させることもできる。【００２７】  また、例えば透明板３の外周部表面や裏面に微細凹凸部を設けて展示用照明装置の光を乱反射させて光による演出効果を高めたり、プレート２や透明板３の外周部等に宣伝用等の各種文字を刻印、印刷してその意匠性を高めたり、あるいは、透明板３として薄く着色された材質を使用してその意匠性をより一層高めること等もできる。さらに、上記各実施形態における、プレート２や透明板３の全体形状、マグネット６、９の形状や配置形態、脚部４の構成等も一例であって、例えばプレート２や透明板３を円形、楕円形状、多角形状に形成したり、マグネット６、９を図４の二点鎖線ハ、ニに示すように貫通状態や埋め込み状態（非貫通状態）で配置したり、あるいは正面視方形状のマグネット６、９を使用する等、本発明に係わる各発明の要旨を��脱しない範囲において適宜に変更することができる。
【産業上の利用可能性】
【００２７】  本発明は、車両のスペックを掲示する掲示用スタンド限らず、例えばカタログ等の他の印刷物、絵、写真等の各種掲示物を掲示する掲示用スタンドにも適用できる。
【図面の簡単な説明】
【００２８】
【図１】本発明に係わる掲示用スタンドの一実施形態を示す一部破断した斜視図
【図２】同その側面図
【図３】同その正面図
【図４】同プレートの変形例を示す要部拡大図
【図５】本発明に係わる掲示用スタンドの他の実施形態を示す側面図
【符号の説明】
【００２９】  １・・・掲示用スタンド、２・・・プレート、２ａ・・・表面、２ｂ・・・裏面、３・・・透明板、３ａ・・・表面、３ｂ・・・裏面、４・・・脚部、４ａ・・・脚パイプ、４ｂ・・・脚プレート、５・・・掲示物、６・・・マグネット、７・・・支持プレート、９・・・マグネット、１０・・・ガイド、１１・・・支持棒、１２・・・金属球、１３・・・マグネット。
【図１】
2008003533.tif 000003
【図２】
2008003533.tif 000004
【図３】
2008003533.tif 000005
【図４】
2008003533.tif 000006
【図５】
2008003533.tif 000007